(57)【要約】【課題】  回転可能な表示筐体の回転操作に際して誤操作をより確実に防止することができる携帯電話機を提供することを目的とする。【解決手段】  ヒンジ部３の平坦面６１における端辺６２側に、第１のシンボルとしての半円環状の図形６３を形成する。表示筐体２の内面には、縦長状態のときに平坦面６１の端辺６２に対向する短辺２２側、及び横長状態のときに平坦面６１の端辺６２に対向する長辺２３側に、それぞれ同一形状からなる第２のシンボルとしての半円環状の図形２５，２６を形成する。これにより、ユーザは、表示筐体２の回転操作に際して、表示筐体２側の図形２５，２６を平坦面６１側の図形６３に近接させるように回転させればよいことを認識することができるので、表示筐体２の回転操作に際して誤操作をより確実に防止することができる。【選択図】  図２
2007166258.tif 000002
【特許請求の範囲】
【請求項１】
筐体面に長方形の表示画面が形成された表示筐体と、
上記表示画面が縦長状態及び横長状態となるように、上記表示筐体を上記表示画面に水平な面内で回転可能に保持する保持手段と、
上記表示画面が縦長状態のときに上記筐体面の一方の短辺に近接し、上記表示画面が横長状態のときに上記筐体面の一方の長辺に近接する基準面とを備え、
上記基準面には、上記表示画面が縦長状態及び横長状態のときに上記表示筐体に近接する端辺側に第１のシンボルが形成されており、
上記筐体面における上記一方の短辺側及び上記一方の長辺側には、それぞれ同一の第２のシンボルが形成され、これらの第２のシンボルが、上記表示画面が縦長状態のときと横長状態のときとで同じ位置に配置されることを特徴とする携帯電話機。
【請求項２】
上記保持手段は、上記表示筐体の回転に伴い上記基準面の上記端辺に対して直交する方向に移動する回転軸を中心に、上記表示筐体を回転可能に保持することを特徴とする請求項１に記載の携帯電話機。
【請求項３】
上記表示画面は、上記筐体面の中央部に形成されており、
上記第２のシンボルは、上記表示画面の外側である上記筐体面の周縁部における上記一方の短辺側及び上記一方の長辺側に描かれていることを特徴とする請求項１又は２に記載の携帯電話機。
【請求項４】
上記表示画面は、上記筐体面全体に形成されており、
上記第２のシンボルは、上記表示画面における上記一方の短辺側及び上記一方の長辺側に表示されることを特徴とする請求項１又は２に記載の携帯電話機。
【発明の詳細な説明】
【技術分野】
【０００１】
本発明は、携帯電話機に係り、さらに詳しくは、表示画面が形成された表示筐体が回転可能に保持された携帯電話機の改良に関する。
【背景技術】
【０００２】
表示画面が形成された表示筐体と、多数の操作キーが配置された操作筐体とを備え、表示筐体が表示画面に水平な面内で操作筐体により回転可能に保持された携帯電話機が知られている（例えば、特許文献１）。
【０００３】
この特許文献１に開示されている携帯電話機は、操作筐体に対して表示筐体を１８０°回転させることができるようになっている。表示画面には、表示筐体を回転させるべき方向が矢印で表示され、これにより、表示筐体を誤った方向に回転させようとする誤操作の防止を図ることができるようになっている。
【０００４】
一方で、携帯電話機の中には、表示画面が長方形に形成され、表示画面が縦長状態及び横長状態となるように、表示筐体を９０°回転させることができるようになっているものもある（例えば、特許文献２）。
【特許文献１】特開２００５−１５１０５７号公報
【特許文献２】特開２００４−２１５１８０号公報
【発明の開示】
【発明が解決しようとする課題】
【０００５】
このように、表示筐体が回転可能に保持された携帯電話機の中には、表示筐体が回転可能な角度範囲の異なるものがある。したがって、上記特許文献２のように表示筐体が９０°の角度範囲で回転可能な携帯電話機に、上記特許文献１のように表示筐体を回転させるべき方向を表示画面に表示させる構成を採用した場合、ユーザの中には、表示筐体が１８０°回転可能なものと勘違いして、表示筐体を９０°回転させた後もなお回転力を付与し続ける場合がある。
【０００６】
すなわち、上記特許文献１のような構成では、表示筐体を回転させるべき方向を表示することはできるものの、表示筐体をどこまで回転させればよいかを表示することはできない。したがって、表示筐体を必要以上に回転させようとして、携帯電話機を破損させてしまうおそれがある。
【０００７】
本発明は、上記の事情に鑑みてなされたものであり、回転可能な表示筐体の回転操作に際して誤操作をより確実に防止することができる携帯電話機を提供することを目的とする。
【課題を解決するための手段】
【０００８】
第１の本発明による携帯電話機は、筐体面に長方形の表示画面が形成された表示筐体と、上記表示画面が縦長状態及び横長状態となるように、上記表示筐体を上記表示画面に水平な面内で回転可能に保持する保持手段と、上記表示画面が縦長状態のときに上記筐体面の一方の短辺に近接し、上記表示画面が横長状態のときに上記筐体面の一方の長辺に近接する基準面とを備え、上記基準面には、上記表示画面が縦長状態及び横長状態のときに上記表示筐体に近接する端辺側に第１のシンボルが形成されており、上記筐体面における上記一方の短辺側及び上記一方の長辺側には、それぞれ同一の第２のシンボルが形成され、これらの第２のシンボルが、上記表示画面が縦長状態のときと横長状態のときとで同じ位置に配置されるように構成される。
【０００９】
このような構成により、表示画面が縦長状態のときと横長状態のときとで、表示筐体の筐体面における一方の短辺側又は一方の長辺側に形成されている第２のシンボルを、基準面の端辺側に形成されている第１のシンボルと近接させることができる。したがって、例えば、第１のシンボルと第２のシンボルとを関連性のあるシンボルとすれば、ユーザは、表示筐体の回転操作に際して、第２のシンボルを第１のシンボルに近接させるように回転させればよいことを認識することができる。
【００１０】
これにより、表示筐体を回転させるべき方向だけでなく、表示筐体をどこまで回転させればよいかをユーザに認識させることができ、表示筐体が必要以上に回転されるのを防止することができる。したがって、表示筐体の回転操作に際して誤操作をより確実に防止することができる。
【００１１】
第２の本発明による携帯電話機において、上記保持手段は、上記表示筐体の回転に伴い上記基準面の上記端辺に対して直交する方向に移動する回転軸を中心に、上記表示筐体を回転可能に保持するように構成される。
【００１２】
このような構成により、表示筐体の回転に伴い回転軸を移動させることによって、表示画面が縦長状態のときには、筐体面の一方の短辺を基準面の端辺に近接させ、表示画面が横長状態のときには、筐体面の一方の長辺を基準面の端辺に近接させることができる。したがって、表示画面が縦長状態のときと横長状態のときとで第２のシンボルを同じ位置に配置させ、第１のシンボルに近接させることができる。
【００１３】
第３の本発明による携帯電話機において、上記表示画面は、上記筐体面の中央部に形成されており、上記第２のシンボルは、上記表示画面の外側である上記筐体面の周縁部における上記一方の短辺側及び上記一方の長辺側に描かれている。
【００１４】
このような構成により、筐体面の周縁部にデザインとして描かれた第２のシンボルを用いて、表示筐体を回転させるべき方向、及び表示筐体をどこまで回転させればよいかをユーザに認識させることができる。筐体面の中央部に表示画面が形成されたような構成では、筐体面の周縁部に第２のシンボルを描くスペースを確保することができるので、このスペースに第２のシンボルを描くことにより、簡単な構成で表示筐体の筐体面に第２のシンボルを形成することができる。
【００１５】
第４の本発明による携帯電話機において、上記表示画面は、上記筐体面全体に形成されており、上記第２のシンボルは、上記表示画面における上記一方の短辺側及び上記一方の長辺側に表示される。
【００１６】
このような構成により、表示画面に表示される第２のシンボルを用いて、表示筐体を回転させるべき方向、及び表示筐体をどこまで回転させればよいかをユーザに認識させることができる。表示筐体の筐体面全体に表示画面が形成されたような構成では、筐体面の周縁部に第２のシンボルを描くスペースを確保することができないため、表示画面に第２のシンボルを表示させることにより表示筐体の筐体面に第２のシンボルを形成することができる。
【発明の効果】
【００１７】
本発明によれば、ユーザは、表示筐体の回転操作に際して、第２のシンボルを第１のシンボルに近接させるように回転させればよいことを認識することができる。これにより、表示筐体を回転させるべき方向だけでなく、表示筐体をどこまで回転させればよいかをユーザに認識させることができ、表示筐体が必要以上に回転されるのを防止することができるので、表示筐体の回転操作に際して誤操作をより確実に防止することができる。
【発明を実施するための最良の形態】
【００１８】
実施の形態１．
図１は、本発明の実施の形態１による携帯電話機１の一例を示した斜視図であり、筐体を閉じた状態を示している。図２は、図１の携帯電話機１の筐体を展開した状態を示した斜視図である。この携帯電話機１は、いわゆる折り畳み式の携帯電話機であり、それぞれ長方形形状に形成された表示筐体２及び操作筐体５がヒンジ部３を介して連結され、表示筐体２及び操作筐体５の筐体面を対向させた状態で折り畳むことができるようになっている。
【００１９】
表示筐体２には、折り畳んだ状態で操作筐体５に対向する内面にメイン表示部２ａ及び受話用レシーバ８が配置されている。メイン表示部２ａは、長方形形状に形成された液晶表示器であり、その長手方向が表示筐体２の長手方向と一致するように配置されている。受話用レシーバ８は、表示筐体２におけるヒンジ部３と反対側の端部に配置されている。
【００２０】
操作筐体５には、折り畳んだ状態で表示筐体２に対向する内面に多数の操作キー４及び送話用マイクロホン７が配置されている。送話用マイクロホン７は、操作筐体５におけるヒンジ部３と反対側の端部に配置されている。
【００２１】
このような折り畳み式携帯電話機１は、コンパクトに折り畳んだ状態で携帯することができ、筐体を展開させれば、メイン表示部２ａの表示を見ながら、操作キー４を押下操作することができる。また、この携帯電話機１は、図２に示すようにメイン表示部２ａを縦長状態として表示筐体２の内面に耳を当てることにより、送話用マイクロホン７に口を近づけるとともに、受話用レシーバ８に耳を近づけて、良好に通話を行うことができるようになっている。
【００２２】
すなわち、より品質のよい音声を送受信するためには、送話用マイクロホン７に口を近づけるとともに、受話用レシーバ８に耳を近づけるのが好ましく、そのためには、送話用マイクロホン７と受話用レシーバ８の距離をある程度確保する必要がある。本実施の形態の携帯電話機１では、送話用マイクロホン７を操作筐体５におけるヒンジ部３と反対側の端部に配置し、受話用レシーバ８を表示筐体２におけるヒンジ部３と反対側の端部に配置することにより、縦長状態としたときの送話用マイクロホン７と受話用レシーバ８の距離を確保することができるようになっている。
【００２３】
ヒンジ部３は、操作筐体５に対して回動可能に連結される連結部３ａと、表示筐体２の外面に対向して表示筐体２を保持する保持部３ｂとが一体的に形成された構成を有している。連結部３ａは、保持部３ｂの一端部において互いに一定間隔を隔てて突出するように形成された２つの円筒体からなる。操作筐体５の内面における長手方向の一端部には、短手方向に延びるように円筒体６が形成されており、この円筒体６が２つの連結部３ａの間に同一軸線上に配置され、互いに回転可能に取り付けられることにより、ヒンジ部３が操作筐体５に対して回動可能に連結されている。
【００２４】
保持部３ｂは、矩形の板状に形成され、メイン表示部２ａを縦長状態としたときに、表示筐体２の外面におけるヒンジ部３側の半分程度に対向する。保持部３ｂは、表示筐体２をメイン表示部２ａに水平な面内で回転可能に保持しており、表示筐体２は、操作筐体５に対する傾斜角度を保った状態で回転できるようになっている。保持部３ｂの表示筐体２と反対側の外面には、主に筐体を閉じた状態で表示を行うためのサブ表示部１１が配置されている。
【００２５】
図３は、図２の携帯電話機１の表示筐体２を回転させた状態を示した斜視図であり、正面から見て図２の状態から時計回りに約４５°回転させた状態を示している。図４は、図２の携帯電話機１の表示筐体２を回転させた状態を示した斜視図であり、正面から見て図２の状態から時計回りに９０°回転させた状態を示している。ユーザは、操作筐体５を把持した状態で、表示筐体２をメイン表示部２ａに水平な面内において９０°の角度範囲内で回転させることにより、図２に示した縦長状態と図４に示した横長状態との間で表示筐体２を回転させることができる。
【００２６】
この携帯電話機１では、テレビ放送を視聴することができるようになっており、図２に示す状態から表示筐体２を回転させ、図３の状態を経て、図４に示すようにメイン表示部２ａを横長状態とすることにより、テレビ画像のアスペクト比に合致した横長状態のメイン表示部２ａにテレビ画像を良好に表示させることができる。メイン表示部２ａは、長辺と短辺の比が１６：９となる長方形形状に形成されており、この比は、一般的なテレビ放送に用いられるテレビ画像のアスペクト比と一致している。
【００２７】
図２の状態から表示筐体２を時計回りに回転させる場合、図３に示した状態となるまでは、ヒンジ部３の保持部３ｂ内に備えられた付勢手段により、表示筐体２に対して反時計回りに付勢力が作用するようになっている。したがって、図２の状態では、表示筐体２に対して反時計回りに作用する付勢力によって、外力が作用しない限り表示筐体２が図２の状態のまま維持されるようになっている。
【００２８】
一方、図３の状態を超えて表示筐体２をさらに時計回りに回転させると、表示筐体２に作用する付勢力が時計回りに切り替わり、図４に示した状態で表示筐体２が係止される。これにより、外力が作用しない限り表示筐体２が図４の状態のまま維持されるようになっている。
【００２９】
本実施の形態では、表示筐体２は一定位置に固定された回転軸を中心に回転するのではなく、表示筐体２の回転に伴って移動する回転軸を中心に回転するようになっている。これにより、図２に示すように長手方向の一端部が操作筐体５に近接した縦長状態の表示筐体２を９０°回転させても、図４に示すように表示筐体２の短手方向の一端部が操作筐体５に近接し、コンパクトに横長状態とされたメイン表示部２ａにテレビ画面を表示させてテレビ放送を視聴することができるようになっている。
【００３０】
また、操作筐体５を把持した状態のまま表示筐体２を縦長状態から横長状態に回転させることにより、携帯電話機１を持ち替えることなくテレビ放送を視聴することができる。このとき、表示筐体２に作用する付勢力により、表示筐体２を縦長状態と横長状態との間でスムーズに切り替えることができるようになっている。
【００３１】
図５〜図７は、図２〜図４の状態における携帯電話機１の背面図であり、それぞれ保持部３ｂ内の構造を透視した状態で示している。また、図８〜図１０は、図２〜図４の状態におけるヒンジ部３の正面図である。図５及び図８は、図２に示す縦長状態に対応し、図６及び図９は、表示筐体２を約４５°回転させた図３に示す状態に対応し、図７及び図１０は、図４に示す横長状態に対応している。
【００３２】
保持部３ｂ内には、矩形形状の保持板１６が配置されており、この保持板１６に表示筐体２が回転可能に保持されている。保持板１６には、横方向に円弧状に延びる円弧孔１２と、縦方向に直線状に延びる直線孔１４とが形成されている。円弧孔１２の中央部の頂点は、直線孔１４の一端部に近接しており、この頂点における法線方向に直線孔１４が延びている。
【００３３】
円弧孔１２及び直線孔１４には、それぞれ表示筐体２の背面側に形成された摺動軸１３及び回転軸１５が回転可能に係合している。摺動軸１３及び回転軸１５は、表示筐体２の背面に固定された軸保持部材１８に一体的に形成されており、それぞれ表示筐体２の中心に対してずれた位置に互いに一定間隔を隔てて配置されている。この軸保持部材１８は、保持部３ｂの前面に形成された開口３ｄを介して、保持部３ｂ内の保持板１６に係合している。
【００３４】
軸保持部材１８は、付勢手段としてのばねの一例である捩りコイルばね２０を介して、保持板１６に固定されている。捩りコイルばね２０は、その一端部が軸保持部材１８の摺動軸１３に結合されるとともに、他端部が保持板１６に形成された取付軸１９に結合されている。取付軸１９は、円弧孔１２の頂点に対する法線上に回転可能に配置されている。表示筐体２には、ヒンジ部３側から延びるフレキシブル基板２１の端部が回転軸１５の近傍において取り付けられており、このフレキシブル基板２１を介して、表示筐体２と操作筐体５とが電気的に接続されている。
【００３５】
図５及び図８に示す縦長状態では、回転軸１５が直線孔１４の下端に当接し、摺動軸１３が円弧孔１２の一端に当接している。この状態では、捩りコイルばね２０により摺動軸１３が円弧孔１２の一端側に付勢されており、外力が作用しない限り表示筐体２がこの状態のまま維持されるようになっている。
【００３６】
この状態から表示筐体２をヒンジ部３に対して回転させると、回転軸１５が直線孔１４に沿って上方へ移動するとともに、摺動軸１３が円弧孔１２に沿って他端側へ移動する。このとき、捩りコイルばね２０も取付軸１９を中心に回転し、その一端部と他端部とが互いに近接するように縮められる。そして、図６及び図９に示すように表示筐体２が約４５°回転された状態では、回転軸１５が直線孔１４の上端に当接し、摺動軸１３が円弧孔１２の頂点に到達する。
【００３７】
この状態では、捩りコイルばね２０の一端部と他端部とが最も近接した状態となり、さらに表示筐体２が回転されると、摺動軸１３及び取付軸１９の左右の位置が逆転し、捩りコイルばね２０の一端部と他端部とが再び離れていく。したがって、表示筐体２は、図６及び図９に示す回転位置を超えて回転されると、その後は捩りコイルばね２０の付勢力によってさらに回転され、図７及び図１０に示すような横長状態となる。
【００３８】
表示筐体２が横長状態のときには、回転軸１５が直線孔１４の下端に当接し、摺動軸１３が円弧孔１２の他端に当接している。この状態では、捩りコイルばね２０により摺動軸１３が円弧孔１２の他端側に付勢されており、外力が作用しない限り表示筐体２がこの状態のまま維持されるようになっている。
【００３９】
本実施の形態では、図２〜図４に示すように、メイン表示部２ａが表示筐体２の内面の中央部に形成されている。これにより、メイン表示部２ａの外側である表示筐体２の内面の周縁部は、メイン表示部２ａの表示画面と同一面内に形成された筐体面となっている。ヒンジ部３の円筒体６の外周面における前側には、表示筐体２の内面と同一面内に延びる平坦面６１が形成されている。
【００４０】
この平坦面６１は、操作筐体５に固定された円筒体６に形成されることにより、表示筐体２が回転されても変位しない基準面をなしている。図２に示すように表示筐体２が縦長状態のときには、表示筐体２の内面における受話用レシーバ８と反対側の短辺２２が、平坦面６１の表示筐体２側の端辺６２に対向した状態で近接する。一方、図４に示すように表示筐体２が横長状態のときには、表示筐体２の内面における一方の長辺２３が、端辺６２に対向した状態で近接する。
【００４１】
表示筐体２が横長状態のときに平坦面６１の端辺６２に対向する表示筐体２の長辺は、操作筐体５が回転可能な方向に応じて、いずれか一方の長辺となる。すなわち、本実施の形態のように、縦長状態の表示筐体２が正面から見て時計回りに９０°回転されることにより横長状態とされるような構成の場合には、縦長状態における正面から見て右側の長辺２３が、横長状態のときに平坦面６１の端辺６２に対向する。これに対して、本実施の形態のような構成とは異なり、縦長状態の表示筐体２が正面から見て反時計回りに９０°回転されることにより横長状態とされるような構成とした場合には、縦長状態における正面から見て左側の長辺２４が、横長状態のときに平坦面６１の端辺６２に対向することとなる。
【００４２】
平坦面６１の左右方向中央部における端辺６２側には、第１のシンボルとしての半円環状の図形６３が描かれている。この半円環状の図形６３は、端辺６２の中央部を中心として、その両端が当該端辺６２の中央部を挟んで両側に位置するような円弧状に描かれている。
【００４３】
一方、表示筐体２の内面には、縦長状態のときに平坦面６１の端辺６２に対向する短辺２２側、及び横長状態のときに平坦面６１の端辺６２に対向する長辺２３側に、それぞれ同一形状からなる第２のシンボルとしての半円環状の図形２５，２６が描かれている。表示筐体２の内面における短辺２２側の図形２５は、短辺２２の中央部を中心として、その両端が当該短辺２２の中央部を挟んで両側に位置するような円弧状に描かれている。表示筐体２の内面における長辺２３側の図形２６は、長辺２３の中央部を中心として、その両端が当該長辺２３の中央部を挟んで両側に位置するような円弧状に描かれている。
【００４４】
本実施の形態では、図５〜図１０を用いて説明した通り、表示筐体２の回転に伴って、平坦面６１の端辺６２に対して直交する方向に表示筐体２の回転軸１５が移動するように構成されている。このような構成により、表示筐体２が縦長状態のときには、表示筐体２の内面における一方の短辺２２を平坦面６１の端辺６２に近接させ、表示筐体２が横長状態のときには、表示筐体２の内面における一方の長辺２３を平坦面６１の端辺６２に近接させることができる。これにより、表示筐体２を縦長状態としたときの短辺２２側の図形２５の位置と、表示筐体２を横長状態としたときの長辺２３側の図形２６の位置とが、同じ位置となるような構成とすることができる。
【００４５】
表示筐体２が縦長状態のときには、表示筐体２の内面における短辺２２側の図形２５が平坦面６１の図形６３に対向し、図２に示すように、これらの図形２５，６３が一体となって円環状の図形が表示されるようになっている。一方、表示筐体２が横長状態のときには、表示筐体２の内面における長辺２３側の図形２６が平坦面６１の図形６３に対向し、図４に示すように、これらの図形２６，６３が一体となって円環状の図形が表示されるようになっている。
【００４６】
このように、表示筐体２の内面における一方の短辺２２側又は一方の長辺２３側に形成されている半円環状の図形２５，２６と、平坦面６１の端辺６２側に形成されている半円環状の図形６３とが、一体となって円環状の図形が表示されるといったように、表示筐体２側の図形２５，２６と平坦面６１側の図形６３とを関連性のある図形とすることにより、ユーザは、表示筐体２の回転操作に際して、表示筐体２側の図形２５，２６を平坦面６１側の図形６３に近接させるように回転させればよいことを認識することができる。
【００４７】
これにより、表示筐体２を回転させるべき方向だけでなく、表示筐体２をどこまで回転させればよいかをユーザに認識させることができ、表示筐体２が必要以上に回転されるのを防止することができる。したがって、表示筐体２の回転操作に際して誤操作をより確実に防止することができる。
【００４８】
特に、本実施の形態では、表示筐体２の内面におけるメイン表示部２ａの外側にデザインとして描かれた図形２５，２６を用いて、表示筐体２を回転させるべき方向、及び表示筐体２をどこまで回転させればよいかをユーザに認識させることができる。本実施の形態のように表示筐体２の内面の中央部にメイン表示部２ａが形成されたような構成では、当該内面の周縁部に図形２５，２６を描くスペースを確保することができるので、このスペースに図形２５，２６を描くことにより、簡単な構成で表示筐体２の筐体面に図形２５，２６を形成することができる。
【００４９】
実施の形態２．
上記実施の形態１では、表示筐体２の内面にデザインとして描かれた図形２５，２６を用いて、表示筐体２を回転させるべき方向、及び表示筐体２をどこまで回転させればよいかをユーザに認識させるような構成について説明したが、実施の形態２では、図形２５，２６を表示筐体１０２の内面に直接描くのではなく、メイン表示部１０２ａに電気的に表示させるような構成となっている点が異なる。
【００５０】
図１１は、本発明の実施の形態２による携帯電話機１０１の一例を示した斜視図であり、筐体を展開した状態を示している。図１２は、図１１の携帯電話機１０１の表示筐体１０２を回転させた状態を示した斜視図であり、正面から見て図１１の状態から時計回りに９０°回転させた状態を示している。この携帯電話機１０１では、メイン表示部１０２ａが表示筐体１０２の内面全体に形成され、そのメイン表示部１０２ａに図形が表示されるようになっている点以外は、上記実施の形態１と同様の構成を有しているので、それらの同様の構成については、図に同一符号を付して詳細な説明を省略することとする。
【００５１】
図１１に示すように、メイン表示部１０２ａは、縦長状態でその左右両端が表示筐体１０２の左右両側の長辺２３，２４上に位置しており、下端が表示筐体１０２の下側の短辺２２上に位置している。縦長状態における表示筐体１０２の上端には受話用レシーバ８が配置されており、この表示筐体１０２の上端部を除く表示筐体１０２の内面全体に、メイン表示部１０２ａが形成されている。
【００５２】
このように、メイン表示部１０２ａは表示筐体１０２の内面全体に形成され、このメイン表示部１０２ａが表示筐体１０２の内面としての筐体面を構成している。ただし、メイン表示部１０２ａは、縦長状態において平坦面６１に近接する側の短辺２２上、及び横長状態において平坦面６１に近接する側の長辺２３上に対向するように形成されていれば、表示筐体１０２の内面上の他の部分において、部分的にメイン表示部１０２ａが形成されていない部分があってもよい。
【００５３】
図１１に示すように表示筐体１０２が縦長状態のときには、メイン表示部１０２ａが、受話用レシーバ８と反対側の短辺２２において、平坦面６１の表示筐体１０２側の端辺６２に対向した状態で近接する。図１２に示すように表示筐体１０２が横長状態のときには、メイン表示部１０２ａが、一方の長辺２３において、平坦面６１の表示筐体１０２側の端辺６２に対向した状態で近接する。
【００５４】
メイン表示部１０２ａには、縦長状態のときに平坦面６１の端辺６２に対向する短辺２２側、及び横長状態のときに平坦面６１の端辺６２に対向する長辺２３側に、それぞれ同一形状からなる第２のシンボルとしての半円環状の図形２５，２６が電気的に表示される。メイン表示部１０２ａにおける短辺２２側の図形２５は、短辺２２の中央部を中心として、その両端が当該短辺２２の中央部を挟んで両側に位置するような円弧状に表示されている。メイン表示部１０２ａにおける長辺２３側の図形２６は、長辺２３の中央部を中心として、その両端が当該長辺２３の中央部を挟んで両側に位置するような円弧状に表示されている。
【００５５】
本実施の形態では、上記実施の携帯１のように表示筐体２の内面の周縁部にデザインとして描かれた図形２５，２６を用いるのではなく、メイン表示部１０２ａに表示される図形２５，２６を用いて、表示筐体１０２を回転させるべき方向、及び表示筐体１０２をどこまで回転させればよいかをユーザに認識させることができる。本実施の形態のように表示筐体１０２の内面全体にメイン表示部１０２ａが形成されたような構成では、表示筐体１０２の内面の周縁部に図形２５，２６を描くスペースを確保することができないため、メイン表示部１０２ａに図形２５，２６を表示させることにより表示筐体２の筐体面に図形２５，２６を形成することができる。
【００５６】
メイン表示部１０２ａに表示される図形２５，２６は、携帯電話機１０１の電源が投入されている間は常に表示されるような構成であってもよいし、例えば、テレビ放送の視聴を開始又は終了させるための操作が行われたときのように、表示筐体１０２を回転させるべきときにのみ一時的に表示されるような構成であってもよい。
【００５７】
実施の形態１及び実施の形態２では、表示筐体２，１０２の内面が、縦長状態及び横長状態においてヒンジ部３の平坦面６１に近接するような構成について説明したが、このような構成に限らず、操作筐体５の内面を基準面とし、表示筐体２，１０２の内面が、縦長状態及び横長状態において操作筐体５の内面に近接するような構成であってもよい。この場合、操作筐体５の内面に、第１のシンボルとしての図形６３が描かれたような構成であってもよい。
【００５８】
第１のシンボル及び第２のシンボルは、半円環状の図形２５，２６，６３に限らず、互いに関連性のある他のシンボル、例えば、一体となって１つの図形となるような他の図形であってもよいし、一体となって１つの文字又は一連の文章となるようなものであってもよい。
【図面の簡単な説明】
【００５９】
【図１】本発明の実施の形態１による携帯電話機の一例を示した斜視図であり、筐体を閉じた状態を示している。
【図２】図１の携帯電話機の筐体を展開した状態を示した斜視図である。
【図３】図２の携帯電話機の表示筐体を回転させた状態を示した斜視図であり、正面から見て図２の状態から時計回りに約４５°回転させた状態を示している。
【図４】図２の携帯電話機の表示筐体を回転させた状態を示した斜視図であり、正面から見て図２の状態から時計回りに９０°回転させた状態を示している。
【図５】図２の状態における携帯電話機の背面図であり、保持部内の構造を透視した状態で示している。
【図６】図３の状態における携帯電話機の背面図であり、保持部内の構造を透視した状態で示している。
【図７】図４の状態における携帯電話機の背面図であり、保持部内の構造を透視した状態で示している。
【図８】図２の状態におけるヒンジ部の正面図である。
【図９】図３の状態におけるヒンジ部の正面図である。
【図１０】図４の状態におけるヒンジ部の正面図である。
【図１１】本発明の実施の形態２による携帯電話機の一例を示した斜視図であり、筐体を展開した状態を示している。
【図１２】図１１の携帯電話機の表示筐体を回転させた状態を示した斜視図であり、正面から見て図１１の状態から時計回りに９０°回転させた状態を示している。
【符号の説明】
【００６０】
１  携帯電話機
２  表示筐体
２ａ  メイン表示部
３  ヒンジ部
４  操作キー
５  操作筐体
７  送話用マイクロホン
８  受話用レシーバ
１２  円弧孔
１３  摺動軸
１４  直線孔
１５  回転軸
１６  保持板
２２  短辺
２３，２４  長辺
２５，２６  図形
６１  平坦面
６２  端辺
６３  図形
１０１  携帯電話機
１０２  表示筐体
１０２ａ  メイン表示部
【図１】
2007166258.tif 000003
【図２】
2007166258.tif 000004
【図３】
2007166258.tif 000005
【図４】
2007166258.tif 000006
【図５】
2007166258.tif 000007
【図６】
2007166258.tif 000008
【図７】
2007166258.tif 000009
【図８】
2007166258.tif 000010
【図９】
2007166258.tif 000011
【図１０】
2007166258.tif 000012
【図１１】
2007166258.tif 000013
【図１２】
2007166258.tif 000014